(57)【要約】【課題】  無線ネットワークを介した無線ネットワーキングが可能な電子装置及びそのネットワーク接続方法を提供する。【解決手段】  この無線ネットワークを介した無線ネットワーキングが可能な電子装置は、無線ネットワークに接続して無線通信を行う通信部と、通信部により送受信される信号の符号化を行う符号化部と、電子装置が電源オンになったか否かを確認し、電源がオンになった場合、電子装置の固有識別情報の符号化を行うように符号化部を制御し、該符号化部により符号化された識別情報に基づいて無線ネットワークへの接続を開始するように通信部を制御する制御部と、を含む。これにより、ユーザーによる特別な操作無しに、電子装置の電源がオンになると、自動で無線ネットワークの接続を開始することによってユーザーの便宜性を増大させることができる。【選択図】      図１
2011103658.tif 000002
【特許請求の範囲】
【請求項１】
無線ネットワークを介した無線ネットワーキングが可能な電子装置であって、
無線ネットワークを中継する中継装置を介して無線通信を行う通信部と、
電子装置が電源オンになったか否かを確認し、電源がオンになった場合、前記中継装置から中継信号を受信し、前記受信した中継信号に基づいて無線ネットワークへの接続を開始するように前記通信部を制御する制御部と、
を含む電子装置。
【請求項２】
前記通信部を通じて送受信される信号の符号化を行う符号化部をさらに含み、
前記制御部は、前記通信部を通じて前記中継信号を受信すると、前記電子装置の固有識別情報を符号化するように前記符号化部を制御し、前記符号化された固有識別情報を前記中継装置に転送するように前記通信部を制御することを特徴とする請求項１に記載の電子装置。
【請求項３】
前記符号化部は、複数の符号化方式から選択された少なくとも一つの方式に基づいて前記識別情報の符号化を行い、該符号化方式の選択を所定周期で繰り返し行うことを特徴とする請求項２に記載の電子装置。
【請求項４】
暗号化を行う暗号化部をさらに含み、
前記制御部は、前記符号化部により符号化された固有識別情報に対して暗号化を行うように前記暗号化部を制御することを特徴とする請求項２に記載の電子装置。
【請求項５】
ＲＳＳＩパターンを有する信号を生成する信号生成部をさらに含み、
前記制御部は、前記生成されたＲＳＳＩパターンを有する信号を送信するように前記通信部を制御することを特徴とする請求項２に記載の電子装置。
【請求項６】
暗号化を行う暗号化部をさらに含み、
前記制御部は、前記符号化部により符号化された識別情報を暗号化するように前記暗号化部を制御し、前記符号化及び暗号化された識別情報を、ＲＳＳＩパターンを有する信号として生成するように前記信号生成部を制御することを特徴とする請求項５に記載の電子装置。
【請求項７】
前記信号生成部は、ＲＳＳＩパターンを有する信号をマイクロ秒単位の周期を有する信号として生成することを特徴とする請求項５に記載の電子装置。
【請求項８】
前記中継信号は、ＲＳＳＩパターンを有する信号であり、
前記制御部は、前記受信された中継信号のＲＳＳＩが所定の閾値以上か否かを確認し、前記確認の結果、前記ＲＳＳＩが前記所定の閾値以上であると、前記中継信号を送信した中継装置を、無線ネットワークへの接続を開始するための装置として特定することを特徴とする請求項１に記載の電子装置。
【請求項９】
前記中継信号は、前記中継装置から転送されるビーコン信号、または前記通信部により要請された探査要請信号に対する応答として中継装置から受信した探査応答信号を含むことを特徴とする請求項８に記載の電子装置。
【請求項１０】
前記中継信号は、前記電子装置の無線ネットワークへの接続開始のための認識情報を含むデータフレームを含むことを特徴とする請求項８に記載の電子装置。
【請求項１１】
前記認識情報は、該認識情報の有無に関する情報、前記電子装置のベンダーに関する情報、前記電子装置の製品情報及び前記認識情報の無欠性に関する情報のうち少なくとも一つを含むことを特徴とする請求項１０に記載の電子装置。
【請求項１２】
前記中継装置に対する接続要請信号を生成する第２信号生成部をさらに含み、
前記制御部は、前記中継信号の無欠性を確認し、この確認結果、無欠なものと判断されると、前記第２信号生成部で生成された接続要請信号を、前記特定された中継装置に転送するように前記通信部を制御することを特徴とする請求項１０に記載の電子装置。
【請求項１３】
暗号化を行う暗号化部をさらに含み、
前記制御部は、前記無線ネットワークへのジョイントに用いられる識別情報を暗号化するように前記暗号化部を制御し、
前記暗号化された識別情報の含まれた接続要請信号を生成するように前記第２信号生成部を制御することを特徴とする請求項１２に記載の電子装置。
【請求項１４】
前記制御部は、前記暗号化された識別情報に関する無欠性情報の含まれた接続要請信号を生成するように前記第２信号生成部を制御することを特徴とする請求項１３に記載の電子装置。
【請求項１５】
前記制御部は、前記転送された接続要請信号に対応して前記中継装置から接続応答信号を受信すると、前記中継装置を介して無線ネットワークへの接続を開始するように前記通信部を制御することを特徴とする請求項１３に記載の電子装置。
【発明の詳細な説明】
【技術分野】
【０００１】
本発明は、無線ネットワークを介した無線ネットワーキングが可能な電子装置及びそのネットワーク接続方法に係り、特に、ユーザーの特別な操作なしにも、電子装置の電源がオンになると、無線ネットワーク通信が行えるように自動でネットワーク接続を開始する電子装置及びそのネットワーク接続方法に関するものである。
【背景技術】
【０００２】
従来の有線ネットワークは無線ネットワークに取って代わりつつある。しかし、無線ネットワークの設定方法は、一般ＰＣのウィンド、リナックスの設定方法をそのまま使用するため、生活家電のユーザーが利用するには複雑で不便だった。これを簡素化するために、ＷＰＳ（Wi-Fi  Protected  Setup）という方式が用いられている。このＷＰＳ方式が適用される生活家電が無線ネットワークにジョインするための登録過程には、ＰＩＮ方法、ＰＢＣ方法、ＮＦＣ方法、ＵＳＢ方法などを行わなければならないと知られている。しかし、これらの方法によって登録過程を行うためには、必ずユーザーが介入しなければならない。この場合、生活家電ユーザーのうちコンピュータに慣れていないユーザーはその用語にも馴染んでおらず、また、ＯＳＤを用いる設定メニューを介してユーザーが直接ネットワークを設定しなければならず、不便だった。
【発明の概要】
【発明が解決しようとする課題】
【０００３】
したがって、本発明の目的は、ユーザーの特別な操作無しにも、電子装置の電源がオンになると、無線ネットワーク通信の接続を自動で開始する電子装置及びそのネットワーク接続方法を提供することにある。
【課題を解決するための手段】
【０００４】
上記目的は、本発明の一実施例によって、無線ネットワークを介した無線ネットワーキングが可能な電子装置において、無線ネットワークを中継する中継装置を介して無線通信を行う通信部と、電子装置が電源オンになったか否かを確認し、電源がオンになった場合、前記中継装置から中継信号を受信して、無線ネットワークへの接続を開始するように前記通信部を制御する制御部と、を含む電子装置を提供することによって達成される。
【０００５】
前記電子装置は、前記通信部を通じて送受信される信号の符号化を行う符号化部をさらに含み、前記制御部は、前記通信部を通じて前記中継信号を受信すると、前記電子装置の固有識別情報を符号化するように前記符号化部を制御し、前記符号化された固有識別情報を前記中継装置に転送するように前記通信部を制御することができる。
【０００６】
ここで、前記符号化部は、複数の符号化方式から選択された少なくとも一つの方式に基づいて前記識別情報の符号化を行うことができる。
【０００７】
ここで、前記符号化部は、該符号化方式の選択を所定周期で繰り返し行うことができる。
【０００８】
ここで、前記電子装置は、暗号化を行う暗号化部をさらに含み、前記制御部は、前記符号化部により符号化された固有識別情報に対して暗号化を行うように前記暗号化部を制御することができる。
【０００９】
ここで、前記電子装置は、ＲＳＳＩ（Received  Signal  Strength  Indication）パターンを有する信号を生成する信号生成部をさらに含み、前記制御部は、前記生成されたＲＳＳＩパターンを有する信号を送信するように前記通信部を制御することができる。
【００１０】
ここで、前記制御部は、前記符号化された識別情報を、ＲＳＳＩパターンを有する信号として生成するように前記信号生成部を制御することができる。
【００１１】
ここで、前記制御部は、前記符号化及び暗号化された識別情報を、ＲＳＳＩパターンを有する信号として生成するように前記信号生成部を制御することができる。
【００１２】
ここで、前記信号生成部は、ＲＳＳＩパターンを有する信号をマイクロ秒（microsecond）単位の周期を有する信号として生成することができる。
【００１３】
ここで、前記中継信号は、ＲＳＳＩパターンを有する信号であり、前記制御部は、前記受信された中継信号のＲＳＳＩが所定の閾値以上か否かを確認し、前記確認の結果、前記ＲＳＳＩが前記所定の閾値以上であると、前記中継信号を送信した中継装置を、無線ネットワークへの接続を開始するための装置として特定することができる。
【００１４】
ここで、前記中継信号は、前記中継装置から転送されるビーコン信号、または前記通信部により要請された探査要請信号に対応する探査応答信号を含むことができる。
【００１５】
ここで、前記中継信号は、前記電子装置の無線ネットワークへの接続開始のための認識情報を含むデータフレームを含むことができる。
【００１６】
ここで、前記認識情報は、該認識情報の有無に関する情報、前記電子装置のベンダーに関する情報、前記電子装置の製品情報及び前記認識情報の無欠性に関する情報のうち少なくとも一つを含むことができる。
【００１７】
前記電子装置は、前記中継装置に対する接続要請信号を生成する第２信号生成部をさらに含み、前記制御部は、前記中継信号の無欠性を確認し、この確認結果、無欠なものと判断されると、前記第２信号生成部で生成された接続要請信号を、前記特定された中継装置に転送するように前記通信部を制御することができる。
【００１８】
前記電子装置は、暗号化を行う暗号化部をさらに含み、前記制御部は、前記無線ネットワークへのジョインに用いられる識別情報を暗号化するように前記暗号化部を制御し、前記暗号化された識別情報の含まれた接続要請信号を生成するように前記第２信号生成部を制御することができる。
【００１９】
前記制御部は、前記暗号化された識別情報に関する無欠性情報の含まれた接続要請信号を生成するように前記第２信号生成部を制御することができる。
【００２０】
前記制御部は、前記転送された接続要請信号に対応して前記中継装置から接続応答信号を受信すると、前記中継装置を介して無線ネットワークへの接続を開始するように前記通信部を制御することができる。
【００２１】
また、本発明は、無線ネットワークを介した無線ネットワーキングが可能な電子装置の無線ネットワーク接続方法であって、前記電子装置が電源オンになったか否かを確認する段階と、電源オンになった場合、無線ネットワークを中継する中継装置を介して無線通信を行う通信部を制御して、前記中継装置から中継信号を受信し、無線ネットワークへの接続を開始する段階と、を含むことができる。
【００２２】
前記方法は、符号化部により前記電子装置の固有識別情報を符号化する段階と、前記符号化された固有識別情報を前記通信部を通じて前記中継装置に転送する段階と、をさらに含むことができる。
【００２３】
ここで、前記符号化段階は、複数の符号化方式から選択されたいずれか一つに基づいて前記識別情報の符号化を行うことができる。
【００２４】
ここで、前記符号化段階は、前記符号化方式の選択を所定の周期で繰り返し行うことができる。
【００２５】
ここで、前記方法は、前記符号化された識別情報に対して暗号化を行う暗号化段階をさらに含むことができる。
【００２６】
ここで、前記方法は、ＲＳＳＩパターンを有する信号を生成する段階をさらに含むことができる。
【００２７】
ここで、前記信号生成段階は、前記符号化された識別情報をＲＳＳＩパターンを有する信号として生成することができる。
【００２８】
ここで、前記信号生成段階は、前記符号化及び暗号化された識別情報を、ＲＳＳＩパターンを有する信号として生成することができる。
【００２９】
ここで、前記ＲＳＳＩパターンを有する信号は、マイクロ秒単位の周期を有するものとすることができる。
【００３０】
ここで、前記中継信号は、ＲＳＳＩパターンを有する信号であり、前記無線ネットワーク接続開始段階は、前記受信された中継信号のＲＳＳＩが所定の閾値以上なのか否かを確認する段階と、前記確認の結果、前記ＲＳＳＩが所定の閾値以上であると、前記中継信号を送信した中継装置を、無線ネットワークの接続を開始するための装置として特定する段階と、をさらに含むことができる。
【００３１】
ここで、前記中継信号は、前記中継装置から転送されるビーコン信号、または前記通信部により要請された探査要請信号に対する探査応答信号を含むことができる。
【００３２】
ここで、前記中継信号は、前記電子装置の無線ネットワークへの接続開始のための認識情報を含むデータフレームを含むことができる。
【００３３】
ここで、前記認識情報は、前記認識情報の有無に関する情報、前記電子装置のベンダーに関する情報、前記電子装置の製品情報及び前記認識情報の無欠性に関する情報のうち少なくとも一つを含むことができる。
【００３４】
前記無線ネットワークの接続を開始するための装置として特定する段階は、前記中継信号の無欠性を確認する段階と、前記確認の結果、無欠なものと判断されると、前記中継装置に対する接続要請信号を生成して、通信部を通じて前記中継装置に転送する段階と、をさらに含むことができる。
【００３５】
ここで、前記接続要請信号の生成は、暗号化部により前記無線ネットワークへのジョインのための識別情報を暗号化し、前記暗号化された識別情報の含まれた接続要請信号を生成することができる。
【００３６】
ここで、前記接続要請信号の生成は、前記暗号化された識別情報に関する無欠性情報の含まれた接続要請信号を生成することができる。
【００３７】
ここで、前記無線ネットワークへの接続を開始する段階は、前記転送された接続要請信号に対応して前記中継装置から接続応答信号を受信すると、前記中継装置を介して無線ネットワークへの接続を開始する。
【発明の効果】
【００３８】
以上のように、本発明によると、電子装置の電源がオンになると、無線ネットワークにジョインするためのＰＩＮの入力またはボタン入力などのようなユーザーによる特別な操作なしにも、自動で無線ネットワークへの接続を開始することができ、無線ネットワーク設定においてユーザーの便宜性を増大させることができる。
【図面の簡単な説明】
【００３９】
【図１】本発明の電子装置を示す構成ブロック図である。
【図２Ａ】本発明の一実施例による信号の周期を示す図である。
【図２Ｂ】本発明の一実施例による信号の周期を示す図である。
【図３】本発明の電子装置の固有識別情報のＲＳＳＩパターンを有する信号生成の一例を示す図である。
【図４】本発明の第１実施例による、本発明の電子装置のネットワーク接続を示すフローチャートである。
【図５】本発明の第１実施例による電子装置の無線ネットワーク接続開始を示す図である。
【図６】本発明の第２実施例による、本発明の電子装置のネットワーク接続を示すフローチャートである。
【図７】本発明の第２実施例による電子装置の無線ネットワーク接続開始を示す図である。
【図８】本発明の第２実施例による電子装置が送受信する信号フレームの一例を示す図である。
【図９】本発明の第２実施例による電子装置が送受信する信号フレームの一例を示す図である。
【図１０】本発明の第２実施例による電子装置が送受信する信号フレームの一例を示す図である。
【図１１】本発明の第２実施例による電子装置が送受信する信号フレームの一例を示す図である。
【図１２】本発明の第２実施例による電子装置が送受信する信号フレームの一例を示す図である。
【図１３】本発明の第２実施例による電子装置が送受信する信号フレームの一例を示す図である。
【図１４】本発明の第２実施例による電子装置が送受信する信号フレームの一例を示す図である。
【発明を実施するための形態】
【００４０】
以下、添付の図面を参照しつつ、本発明の実施例について、本発明の属する技術分野における通常の知識を有する者が容易に実施できるように詳細に説明する。本発明は様々な形態とすることができ、ここで説明する実施例に限定されない。本発明を明確に説明するために、説明と関連していない部分は省略し、明細書全体を通じて同一のまたは類似の構成要素には同一の参照符号を付ける。
【００４１】
図１は、本発明の電子装置１００を示す構成ブロック図である。図１に示すように、本発明の電子装置１００は、通信部１１０、符号化部１２０、暗号化部１３０、信号生成部１４０、第２信号生成部１４１及び制御部１５０を含むことができる。
【００４２】
本発明の電子装置１００は、無線ネットワークを介した無線ネットワーキングが可能な電子装置で、例えば、ディスプレイ装置、ＰＶＲ（Personal  Video  Recorder）、ＤＶＤ（Digital  Versatile  Disc）プレイヤー及び／またはＢＤ（Blue-ray  disc）プレイヤー、オーディオコンポーネント、モバイルフォン、ＰＣ、ビデオコンソール（Video  Console）、セットトップボックス、記録及び／または再生装置などを含むことができる。また、ホーム無線ネットワーク通信が行える生活家電、例えば、冷蔵庫、エアコン、電気炊飯器、電子レンジ、ビデオフォン、インターネットフォン、ヒーター、洗濯機及び／または乾燥器、対流式オーブン（convection  oven）、ストーブ（stove）等の多種の生活家電を含むこともできる。
【００４３】
通信部１１０は、無線ネットワークに接続して無線通信を行うことができる。通信部１１０は、無線ネットワークを中継する中継装置２００を介して無線ネットワークにジョインして無線通信を行うことができる。したがって、通信部１１０は、いかなるタイプの無線ネットワーク通信をも行うことができ、例えば、ＷＬＡＮ（Wireless  Local  Area  Network）を含むことができる。したがって、通信部１１０は、無線ネットワーク通信が行えるいかなるタイプのプロトコルも含むことができ、例えば、ＷＬＡＮ通信プロトコルまたはＷｉ−Ｆｉ通信プロトコルを含むことができる。
【００４４】
符号化部１２０は、通信部１１０によって送受信される信号の符号化を行うことができる。また、符号化部１２０は、当該電子装置の固有識別情報を符号化でき、例えば、２進符号化することができる。
【００４５】
電子装置の固有識別情報は、数字、文字、あるいは数字と文字との組み合わせとすることができる。したがって、符号化部１２０は、数字及び／または文字で構成された電子装置１００の固有識別情報を２進符号化することができる。
【００４６】
電子装置の固有識別情報は、電子装置１００であることを中継装置２００が確認できるような既に設定された情報である。
【００４７】
また、符号化部１２０は、複数の符号化方式のうち、選択されたいずれか一つに基づいて識別情報の符号化を行うことができる。したがって、符号化部１２０は、数字／文字に対して複数の符号化方式を含むことができ、固有識別情報（例えば、２進符号化された固有識別情報）を、複数の符号化方式のうち選択された少なくとも一つを用いて符号化することができる。例えば、４個の数字及び／または文字で構成された固有識別情報を、各数字／文字に対して互いに異なる符号化方式を適用して符号化することができる。
【００４８】
また、符号化部１２０は、符号化方式の選択を所定の周期で繰り返し行うことができる。このように所定の周期で符号化方式の選択を反復することによって、外部からネットワークハッキングを効率的に防ぐことができる。
【００４９】
また、符号化部１２０は、通信部１１０に受信される符号化された信号の復号化を行うための復号化部（図示せず）をさらに含むことができる。
【００５０】
また、電子装置１００は、暗号化を行う暗号化部１３０をさらに含むことができる。暗号化部１３０は、記符号化部１２０により符号化された識別情報に対して暗号化を行うことができる。暗号化部１３０は、例えば、ＡＥＳ（Advanced  Encryption  Standard）、ＤＥＳ（Data  Encryption  Standard）などの暗号化アルゴリズムを適用して、符号化された識別情報に対して暗号化を行うことができる。
【００５１】
また、暗号化部１３０は、通信部１１０に受信される暗号化された信号の平文化を行う平文化部（図示せず）をさらに含むことができる。
【００５２】
また、電子装置１００は、ＲＳＳＩパターンを有する信号を生成する信号生成部１４０をさらに含むことができる。生成されたＲＳＳＩパターンを有する信号は、通信部１１０を通じて送信することができる。
【００５３】
信号生成部１４０は、符号化部１２０により符号化された電子装置１００の固有識別情報を、ＲＳＳＩパターンを有する信号として生成することができる。また、符号化部１２０及び暗号化部１３０により符号化及び暗号化された電子装置１００の固有識別情報を、ＲＳＳＩパターンを有する信号として生成することもできる。
【００５４】
ＲＳＳＩは、受信信号強度であり、ＲＳＳＩの数値は無線技術によって異なるが、電子装置のベンダーによってその数値範囲をそれぞれ設定することができる。
【００５５】
また、信号生成部１４０は、ＲＳＳＩパターンを有する信号を、マイクロ秒単位の周期を有する信号として生成することができる。信号生成部１４０は、一実施例として、ＲＳＳＩパターンを有するビーコン信号を生成することができ、該ビーコン信号の周期をマイクロ秒単位を有する信号として生成することができる。これについては、図２Ａ及び図２Ｂ、図３で後述する。
【００５６】
また、電子装置１００は、中継装置２００への接続要請信号を生成する第２信号生成部１４１をさらに含むことができる。
【００５７】
第２信号生成部１４１は、後述する制御部１５０の制御によって、中継装置２００が無線ネットワークへの接続開始のための装置と特定され、中継装置２００から受信された中継信号の無欠性が確認された後に、中継装置２００が中継する無線ネットワークへのジョインを要請する接続要請信号を生成することができる。
【００５８】
この接続要請信号は、暗号化部１３０により暗号化された、無線ネットワークへのジョインのための識別情報を含むことができる。無線ネットワークへのジョインのための識別情報は、例えば、電子装置１００の無線ネットワークへのジョインのためのＰＩＮ（Personal  Identification  Number）を含むことができる。
【００５９】
また、接続要請信号は、暗号化された識別情報に対する無欠性情報を含むことができる。したがって、接続要請信号を受信した中継装置２００が、無線ネットワークジョインに用いられる識別情報及び無欠性情報を確認し、当該識別情報が的確であり、十分に無欠なものと確認されると、中継装置２００は、当該接続要請信号に対応する接続応答信号を電子装置１００に送信することができる。
【００６０】
したがって、制御部１５０は、中継装置２００から接続応答信号を受信すると、通信部１１０を制御して中継装置を介して無線ネットワークへの接続を開始することができる。
【００６１】
制御部１５０は、電子装置１００の電源がオンになるか否かを確認し、電源がオンになると、中継装置２００から中継信号を受信して無線ネットワークへの接続を開始するように通信部１１０を制御することができる。
【００６２】
ここで、中継信号は、中継装置２００から周期的に転送されるビーコン信号を含むことができる。または、中継信号は、通信部１１０により要請された探査要請（Probe  Request）信号に対応する探査応答（Probe  Response）信号を含むこともできる。
【００６３】
中継信号は、電子装置の無線ネットワークへの接続開始のための認識情報を含むデータフレームを含むことができる。認識情報は、該認識情報の有無に関する情報、電子装置のベンダーに関する情報、電子装置の製品情報及び認識情報の無欠性に関する情報のうち少なくとも一つを含むことができる。
【００６４】
中継信号は、ＲＳＳＩパターンを有する信号を含むことができる。したがって、制御部１５０は、通信部１１０を介して中継装置２００から受信した中継信号のＲＳＳＩが、所定の閾値以上か否かを確認する。
【００６５】
電子装置１００は、通信部１１０を介して複数の中継装置２００から複数の中継信号を受信することができる。制御部１５０は、受信した複数の中継信号のＲＳＳＩが各所定の閾値以上か否かを確認する。
【００６６】
ＲＳＳＩを確認した結果、所定の閾値以上のＲＳＳＩを有する中継信号がない、または、所定の閾値以上のＲＳＳＩを有する中継信号が２つ以上あると判断される場合は、ユーザーは通信のためにどの中継装置２００を使用するかを決定する。
【００６７】
ＲＳＳＩを確認した結果、所定の閾値以上のＲＳＳＩを有する中継信号が１つある場合は、制御部は、当該電子装置の固有識別情報を符号化及び／または暗号化するように符号化部１２０及び暗号化部１３０を制御する。符号化及び／または暗号化された識別情報は、信号生成部１４０により所定のＲＳＳＩパターンを有する信号として生成されて、通信部１１０を通じて中継装置２００に転送される。
【００６８】
通信部を通じて転送された符号化及び／または暗号化された固有識別情報のＲＳＳＩパターンを有する信号に対応して、中継装置２００から所定のＲＳＳＩパターンを有する符号化及び／または暗号化された信号を受信すると、制御部１５０は、符号化部１２０及び／または暗号化部１３０を制御して、当該中継装置から受信した信号の復号化及び／または平文化を行うことで、当該信号の無欠性を確認する。その結果、十分に無欠なものと判断されると、制御部１５０は、第２信号生成部１４１を制御して接続要請信号を生成し、該生成された接続要請信号を通信部１００を通じて中継装置２００に転送する。中継装置２００から接続要請信号に対応する接続応答信号を受信すると、制御部１５０は、通信部１１０を制御して中継装置２００を介して無線ネットワークへの接続を開始する。
【００６９】
他の実施例として、所定の閾値以上のＲＳＳＩを有する中継信号が１つある場合、制御部１５０は、中継信号のデータフレームに含まれている、電子装置の無線ネットワークへの接続開始のための認識情報を確認することができる。認識情報の確認結果、認識情報が的確であり、かつ、中継信号が十分に無欠なものと確認されると、制御部１５０は、第２信号生成部１４１を制御して接続要請信号を生成し、該生成された接続要請信号を通信部１００を通じて中継装置２００に転送する。この接続要請信号は、暗号化された無線ネットワークへの接続開始に用いられる識別情報及び無欠性情報を含むことができる。中継装置２００が、この暗号化された識別情報及び無欠性情報を確認した後に、当該接続要請信号に対応する接続応答信号を通信部１１０を通じて転送すると、制御部１５０は、通信部１１０を制御して、中継装置２００を介して無線ネットワークへの接続を開始する。
【００７０】
ここで、電子装置１００は、ユーザー入力部（図示せず）をさらに含むことができる。ユーザー入力部（図示せず）は、電源オン／オフ信号入力のためのもので、本発明の電子装置にボタン形式及び／またはタッチスクリーンのためのタッチパネルにすることもでき、電子装置１００に有線または無線で接続されたリモコン、キーボードなどの種々の形態にすることもできる。したがって、ユーザー入力部を介した電源オン信号の入力によって電子装置１００の電源がオンになると、制御部１５０は、これを確認することができる。
【００７１】
ここで、電子装置１００は、ＰｎＰ（Plug  and  Play）機能を含む電子装置とすることもできる。一実施例として、ＵＳＢの接続によるＰｎＰ機能が行われて電子装置１００の電源がオンになると、制御部１５０は、電子装置１００の電源オンを確認することができる。また、ユーザー入力部を介した電源オン／オフ入力ではなく、チャンネル選択入力によるＰｎＰ機能が行われて電子装置１００の電源がオンになる場合にも、制御部１５０は電子装置１００の電源オンを確認することができる。
【００７２】
図２Ａ及び図２Ｂは、本発明の一実施例による信号の周期を示す図である。図２Ａは、従来ビーコン信号の周期を示す図である。従来ビーコン信号の周期は、１００〜２００ミリセカンド（millisecond）である。
【００７３】
一方、図２Ｂは、本発明の信号生成部１４０で生成されたＲＳＳＩパターンを有する信号の周期を示す図で、当該信号の周期は、マイクロ秒単位を有する。したがって、本発明の電子装置の固有識別情報をＲＳＳＩパターンを有する信号と生成する場合、固有識別情報の大きさにかかわらずに、識別情報に対応するＲＳＳＩパターンを有する信号を生成することができる。
【００７４】
図３は、本発明の電子装置の固有識別情報に対するＲＳＳＩパターンを有する信号生成の一例を示す図である。
【００７５】
本発明の一実施例によって、ＲＳＳＩパターンは、ロー１０乃至ハイ１２７に設定することができるが、これは一実施例に過ぎないもので、本発明はこれに制限されない。電子装置１００の固有識別情報は、文字及び数字の組み合わせを含むことができ、これは、符号化部１２０により２進符号化（例えば、０と１）されることができる。したがって、２進符号化された固有識別情報を信号生成部１４０でＲＳＳＩパターンを有する信号として生成することができ、該２進符号化のうち、０はロー（low）１０のＲＳＳＩを有する信号を意味し、１はハイ（high）１２７のＲＳＳＩを有する信号を意味する。
【００７６】
例えば、本発明の電子装置１００の固有識別情報を“ｓａｍｓｕｎｇ０１２３”と設定するとする。図示のように、１番目の“ｓ”は、１１０１０１１１の８ビットと２進符号化され、１はハイ１２７のＲＳＳＩ、０はロー１０のＲＳＳＩを有する信号として通信部１１０を通じて送信することができる。
【００７７】
図４は、本発明の第１実施例による、本発明の電子装置のネットワークへの接続を示すフローチャートである。図４に示すように、本発明の電子装置１００の制御部１５０は、電子装置１００の電源がオンになったか否かを確認する（Ｓ１００）。電源は、ユーザー入力部（図示せず）から入力される電源オン信号によってオンになってもよく、ＰｎＰによるＵＳＢなどの接続によりオンになっても良い。
【００７８】
電子装置の電源がオンと確認されると、制御部１５０は、通信部１１０を制御して、中継装置２００から中継信号を受信する（Ｓ１１０）。中継信号は、ＲＳＳＩパターンを有する信号で、制御部１５０は、中継信号のＲＳＳＩが所定の閾値以上であるか否かを確認し、確認の結果、所定の閾値以上のＲＳＳＩを有する中継信号を送信した中継装置を、無線ネットワークへの接続開始のための候補中継装置として選定する。
【００７９】
制御部１５０は、符号化部１２０を制御して、当該電子装置の固有識別情報を符号化する（Ｓ１２０）。
【００８０】
符号化部１２０は、固有識別情報を２進符号化することができ、複数の符号化方式のうち少なくとも一つにより符号化することができる。また、複数の符号化方式の選択は、所定の周期で変更することができる。
【００８１】
また、制御部１５０は、暗号化部１３０を制御して、当該符号化された識別情報を暗号化アルゴリズムによって暗号化することができる（Ｓ１３０）。
【００８２】
また、制御部１５０は、信号生成部１４０を制御して、符号化及び暗号化された識別情報を、特定ＲＳＳＩパターンを有する信号として生成することができる（Ｓ１４０）。この特定ＲＳＳＩパターンを有する信号は、マイクロ秒単位の周期を有する信号で、固有識別情報の大きさにかかわらずに済む。
【００８３】
制御部１５０は、通信部１１０を制御して、信号生成部１４０で生成された特定ＲＳＳＩパターンを有する信号を、候補中継装置として選ばれた中継装置２００に転送し、以降、この中継装置２００から当該信号に対応する応答信号を受信し、この応答信号の無欠性が確認されると、当該中継装置を無線ネットワークの接続を開始するための中継装置２００と特定し、接続要請信号を転送する。続いて、この接続要請信号に対応する接続応答信号を、当該特定された中継装置から受信すると、通信部１１０を制御して無線ネットワークの接続を開始する（Ｓ１５０）。
【００８４】
図５は、本発明の第１実施例による電子装置１００の無線ネットワークへの接続開始をより詳細に示す図である。
【００８５】
例えば、電子装置１００がＷｉ−Ｆｉを用いて無線ネットワーク通信を行う場合について説明する。Ｗｉ−Ｆｉを用いてネットワーク無線通信を行うにあっては、ＷＰＳを用いてより容易にネットワークジョインを行うことができる。
【００８６】
従来電子装置では、より容易に無線ネットワークへの接続を開始するために、ユーザーが必ず電子装置及びＷｉ−Ｆｉ中継装置に設けられたＷＰＳボタンを押す必要があった。ところが、コンピュータに慣れていないユーザーにとっては、この用語に馴染んでおらず、ＷＰＳボタンを正確に活用できない場合があった。
【００８７】
しかし、本発明の無線ネットワークを介した無線ネットワーキングが可能な電子装置は、ユーザーによるいかなる操作なしにも、電子装置１００が電源オンになると自動で無線ネットワーク接続を開始するようにし、従来のにおけるユーザーの不便を解消した。
【００８８】
図５に示すように、本発明の電子装置１００の電源がオンになると、電子装置の制御部１５０は、能動的に通信部１１０を制御して、探査要請（Probe  Request）信号を送信して、Ｗｉ−Ｆｉ中継装置を探査する。通信部１１０は、探査要請信号に対応して、周囲のＷｉ−Ｆｉ中継装置から探査応答（Probe  Response）信号を受信することができる。または、受動的に、Ｗｉ−Ｆｉ中継装置が周期的に送信するビーコン信号を受信することによって探査を行うこともできる。
【００８９】
制御部１５０は、通信部１１０に受信された探査応答信号またはビーコン信号のＲＳＳＩが、あらかじめ設定された特定閾値以上なのか否かを判断する。ＲＳＳＩの判断結果、特定閾値以上のＲＳＳＩがない、または、特定閾値以上のＲＳＳＩが２つ以上あると判断される場合は、ユーザーはどの中継装置を使用するかを決定することができる。
【００９０】
もし、ＲＳＳＩの判断結果、特定閾値以上のＲＳＳＩが１つある場合、制御部１５０は、電子装置１００の固有識別情報を符号化及び暗号化するように符号化部１２０及び暗号化部１３０をそれぞれ制御する。該符号化及び暗号化された識別情報は、信号生成部１４０により特定ＲＳＳＩパターンを有する信号とされ、通信部１１０を通じて中継装置に送信される。
【００９１】
特定ＲＳＳＩパターンを有する、符号化及び暗号化された電子装置１００の固有識別情報を受信した中継装置は、ＲＳＳＩを把握し、それが有効なものと認められると、当該符号化及び暗号化された識別情報を復号化及び平文化して、この固有識別情報の有効性を確認する。中継装置により固有識別情報の有効性が確認されると、中継装置も同様、特定ＲＳＳＩパターンを有する、符号化及び暗号化された当該中継装置の識別情報を電子装置１００の通信部１１０に送信する。
【００９２】
電子装置１００の制御部１５０は、通信部１１０に受信された、中継装置の特定ＲＳＳＩパターンを有する、符号化及び暗号化された中継装置の固有識別情報を、符号化部１２０及び暗号化部１３０でそれぞれ復号化及び平文化して無欠性を判断する。十分に無欠なものと判断されると、制御部１５０は、通信部１１０を制御して、接続要請（Association  Request）を当該中継装置に送信し、この接続要請に対応する接続応答（Association  Response）を受信すると、制御部１５０は、通信部１１０を制御して、当該中継装置を介して無線ネットワークへの接続を開始する。したがって、制御部１５０は、通信部１１０を制御して、中継装置２００にＥＡＰＯＬ−Ｓｔｒａｔ、ＥＡＰＯＬ−Ｒｅｑｕｅｓｔ／Ｒｅｓｐｏｎｓｅ（Ｍ１−Ｍ８）、ＥＡＰ＿Ｒｅｑｕｅｓｔ（Ｄｏｎｅ）、ＥＡＰ＿Ｒｅｓｐｏｎｓｅ（ＡＣＫ）までの過程を行い、結果として中継装置２００を介して無線ネットワークにジョインすることができる。
【００９３】
したがって、上述したように、本発明の電子装置１００は、ユーザーのいかなる操作なしにも、電子装置１００の電源がオンになると、無線ネットワーク接続を自動で開始するため、ユーザーの便宜性を増大させることができる。
【００９４】
図６は、本発明の第２実施例による電子装置の無線ネットワークへの接続を示すフローチャートである。同図に示すように、本発明の電子装置１００の制御部１５０は、電子装置１００が電源オンになったか否かを確認する（Ｓ２００）。
【００９５】
電子装置の電源がオンになったと確認されると、制御部１５０は、通信部１１０を制御して、中継装置２００からの中継信号を受信する（Ｓ２１０）。中継信号は、中継装置２００から周期的に転送されるビーコン信号、または通信部の探査要請信号に対応する探査応答信号を含むことができる。また、中継信号は、ＲＳＳＩパターンの信号である。したがって、制御部１５０は、該受信した中継信号のＲＳＳＩが所定の閾値以上なのか否かを確認し、無線ネットワークへの接続開始のための中継装置２００を特定する（Ｓ２２０）。通信部１１０に複数の中継信号が受信される場合における候補中継装置の選定は、図４で上述した通りであり、その詳細は省略する。
【００９６】
制御部１５０は、通信部１１０に受信された中継信号に含まれた認識情報を確認して、中継信号の無欠性を確認する（Ｓ２３０）。
【００９７】
確認の結果、中継信号が十分に無欠なものと認定されると、制御部１５０は、第２信号生成部１４１を制御して、無線ネットワークへのジョインに用いられる識別情報を含む接続要請信号を生成し、該生成された接続要請信号を通信部１１０を通じて中継装置２００に転送する（Ｓ２４０）。
【００９８】
この接続要請信号に対応する接続応答信号を中継装置２００から受信すると、制御部１５０は、通信部１１０を制御して、中継装置を介して無線ネットワークへの接続を開始する（Ｓ２５０）。したがって、制御部１５０は、通信部１１０を制御して、中継装置にＥＡＰＯＬ−Ｓｔｒａｔ、ＥＡＰＯＬ−Ｒｅｑｕｅｓｔ／Ｒｅｓｐｏｎｓｅ（Ｍ１−Ｍ８）、ＥＡＰ＿Ｒｅｑｕｅｓｔ（Ｄｏｎｅ）、ＥＡＰ＿Ｒｅｓｐｏｎｓｅ（ＡＣＫ）までの過程を行い、結果として中継装置２００を介して無線ネットワークにジョインすることができる。
【００９９】
以下、図７乃至図１４を参照して、本発明の第２実施例による電子装置の無線ネットワークへの接続開始についてより詳細に説明する。
【０１００】
図７は、ＩＥＥＥ  ８０２．１１ベースの無線ネットワークを中継する中継装置２００と無線ネットワークにジョインしようとする電子装置１００との間で、ＷＰＳ（Wireless  Protected  Setup）を、ユーザーによるＰＩＮ入力及び／またはプッシュボタンの入力などの操作無しで、電子装置１００が中継装置２００との通信によって自動的に設定し、無線ネットワークにジョインする過程を示す。
【０１０１】
従来、ＷＰＳを通じて無線ネットワークにジョインするためのＷＰＳハンドシェーキング過程中に電子装置と中継装置との間で送受信されるデータフレームは、チップセットベンダーに依存性を有するように具現された。このため、電子装置と中継装置とが互換性を有する状態でＷＰＳが自動設定されないという問題点があった。
【０１０２】
しかし、本発明の第２実施例による電子装置１００は、ＷＬＡＮのＩｎ−ｂａｎｄで電子装置と中継装置とのデータフレームの送受信及び無欠性確認を用いて、ユーザーによる特別な操作なしにＷＰＳ自動設定を行うことができる。
【０１０３】
図７に示すように、電子装置１００の電源がオンになると、制御部１５０の制御によって、通信部１１０は、中継装置２００から中継信号を受信する。
【０１０４】
この中継信号は、中継装置２００が周期的に送信するビーコン信号、または通信部１１０による探査要請信号に対応する中継装置２００からの探査応答信号を含むことができる。
【０１０５】
この中継信号は、ＲＳＳＩパターンを有する信号である。
【０１０６】
したがって、制御部１５０は、通信部１１０に受信された中継信号のＲＳＳＩが所定の閾値以上なのか否かを確認する。
【０１０７】
通信部１１０に複数の中継信号が受信される場合における候補中継装置の選定は、図５で上述した通りであり、その詳細は省略する。
【０１０８】
所定の閾値以上のＲＳＳＩを有する中継信号が一つである場合、制御部１５０は、中継信号のデータフレームに含まれている無線ネットワークの接続開始のための認識情報を確認する。
【０１０９】
認識情報は、該認識情報の有無に関する情報、電子装置のベンダーに関する情報、電子装置の製品情報及び認識情報の無欠性に関する情報のうち少なくとも一つを含むことができる。認識情報の有無に関する情報を表すデータフレームの構造は、図８に示されている。
【０１１０】
図８は、中継信号のデータフレームのうち、Ｃａｐａｂｉｌｉｔｙ  Ｉｎｆｏｒｍａｔｉｏｎ  Ｆｉｅｌｄ領域のフレーム構造を示すものである。図８の（Ａ）は、従来のＣａｐａｂｉｌｉｔｙ  Ｉｎｆｏｒｍａｔｉｏｎ  Ｆｉｅｌｄ領域のフレーム構造であり、（Ｂ）は、本願の第２実施例による電子装置１００が受信する中継信号に含まれているＣａｐａｂｉｌｉｔｙ  Ｉｎｆｏｒｍａｔｉｏｎ  Ｆｉｅｌｄ領域のフレーム構造である。
【０１１１】
図８の（Ｂ）において、“ＳＰＡＣ”と指定されたＢ５領域は、無線ネットワークの接続開始のための認識情報の有無を確認できるデータを含んでいる。“ＳＰＡＣ”は０または１と指定されることができる。“ＳＰＡＣ”が０と指定されると、当該認識情報がないと認識し、“ＳＰＡＣ”が１と指定されると、当該認識情報が存在すると認識することができる。
【０１１２】
したがって、制御部１５０は、中継信号を受信すると、Ｃａｐａｂｉｌｉｔｙ  Ｉｎｆｏｒｍａｔｉｏｎ  Ｆｉｅｌｄ領域のフレーム構造におけるＢ５領域の“ＳＰＡＣ”が０と指定されているか、または、１と指定されているかを確認する。
【０１１３】
“ＳＰＡＣ”が１と指定されていると、制御部１５０は、当該中継信号に、電子装置１００のベンダーに関する情報及び／または電子装置１００の製品情報に対するデータが存在するか否かを確認する。
【０１１４】
図９は、中継信号に含まれている電子装置のベンダーに関する情報及び製品情報に対するデータフレーム構造を示す図である。
【０１１５】
図９に示すように、“Ｅｌｅｍｅｎｔ  ＩＤ”は、どんな情報が含まれているかを指示し、“Ｌｅｎｇｔｈ”は、データ長を指示し、“Ｉｎｆｏｒｍａｔｉｏｎ”領域には、２４ビットの電子装置１００のベンダーに関する情報（Ｖｅｎｄｏｒ  ＩＤ）及び８ビットの製品情報（Ｐｒｏｄｕｃｔ  ＩＤ）が含まれている。図９に示す“Ｅｌｅｍｅｎｔ  ＩＤ”、“Ｌｅｎｇｔｈ”、“Ｉｎｆｏｒｍａｔｉｏｎ”領域は、本発明を説明するための例示に過ぎないもので、本発明はこれに制限されない。
【０１１６】
制御部１５０は、中継信号に電子装置１００のベンダーに関する情報及び製品情報に対するデータが含まれているか否かを確認し、含まれていると、当該ベンダーに関する情報及び製品情報を確認する。
【０１１７】
ベンダー情報及び製品情報が的確であると、制御部１５０は、中継信号に含まれている無欠性情報を確認して、中継信号が十分に無欠であるか判断する。
【０１１８】
図１０は、中継信号に関する無欠性情報のデータフレーム構造を示す図である。図１０に示すように、“Ｅｌｅｍｅｎｔ  ＩＤ”は、どんな情報が含まれているかを指示し、“Ｌｅｎｇｔｈ”は、データ長を指示し、“Ｉｎｆｏｒｍａｔｉｏｎ”領域には、１６ビットの無欠性情報（ＭＩＣ）が含まれる。図１０に示す“Ｅｌｅｍｅｎｔ  ＩＤ”、“Ｌｅｎｇｔｈ”、“Ｉｎｆｏｒｍａｔｉｏｎ”領域は、本発明を説明するための例示に過ぎないもので、本発明はこれに制限されない。
【０１１９】
制御部１５０は、中継信号に含まれている無欠性情報を確認して、中継信号が十分に無欠か否かを判断し、判断の結果、無欠なものと認定されると、次の段階に進む。
【０１２０】
図１１は、中継装置２００から受信する中継信号のデータフレーム構造の一実施例を示す図である。
【０１２１】
中継信号は、中継装置２００が周期的に転送するビーコン信号であっても良く、通信部１１０による探査要請信号に対応する探査応答信号であっても良い。
【０１２２】
図１１に示すように、中継信号は、ＭＡＣヘッダに続いてフレームボディー部分を含む。このフレーム中のＣａｐａｂｉｌｉｔｙ  Ｉｎｆｏｒｍａｔｉｏｎ  Ｆｉｅｌｄは、無線ネットワークの接続開始のための認識情報の有無に関する情報（ＳＰＡＣ）を含んでいる。また、フレームボディーは、電子装置１００のベンダー情報（ＶＩＤ）、製品情報（ＰＩＤ）及び無欠性情報（ＭＩＣ）に対するデータフレームをさらに含む。これらのベンダー情報（ＶＩＤ）、製品情報（ＰＩＤ）及び無欠性情報（ＭＩＣ）に対するデータは、既存ＷＰＳネットワークプロトコル下ではフレームボディーに含まれていないデータである。
【０１２３】
したがって、制御部１５０は、同図の中継信号を受信すると、まず、Ｃａｐａｂｉｌｉｔｙ  Ｉｎｆｏｒｍａｔｉｏｎ  ＦｉｅｌｄのＳＰＡＣを確認し、このＳＰＡＣが１であるか確認する。ＳＰＡＣが１であれば、フレームボディーに含まれている電子装置１００のベンダー情報（ＶＩＤ）及び製品情報（ＰＩＤ）に対するデータが的確であるか確認する。
【０１２４】
このベンダー情報及び製品情報が的確であると、無欠性情報（ＭＩＣ）を確認して、中継信号が十分に無欠であるか確認する。
【０１２５】
制御部１５０は、中継信号が無欠なものと判断されると、第２信号生成部１４１を制御して、無線ネットワークのジョインに用いられる識別情報を含む接続要請信号を生成する。
【０１２６】
図１２及び図１３は、第２実施例による電子装置の第２信号生成部１４１で生成される接続要請信号のデータフレーム構造を示す図である。図１２は、無線ネットワークへのジョインに要求される識別情報のデータ構造を示す。同図の接続要請信号のデータフレームにおいて、“Ｅｌｅｍｅｎｔ  ＩＤ”は、どんな情報が含まれているかを指示し、“Ｌｅｎｇｔｈ”はデータ長さを指示し、“Ｉｎｆｏｒｍａｔｉｏｎ”領域には、８ビットの無線ネットワークのジョインに用いられる識別情報（ＰＩＮ）が含まれる。図１２に示す“Ｅｌｅｍｅｎｔ  ＩＤ”、“Ｌｅｎｇｔｈ”、“Ｉｎｆｏｒｍａｔｉｏｎ”領域は、本発明を説明するための例示に過ぎないもので、本発明はこれに制限されない。
【０１２７】
無線ネットワークへのジョインに用いられる識別情報は、制御部１５０の制御によって暗号化部１３０で暗号化されたものとすることができる。
【０１２８】
図１３は、第２信号生成部１４１で生成される接続要請信号のデータフレーム構造を示す図である。同図の接続要請信号は、ＭＡＣヘッダに続いてフレームボディー部分を含む。このフレーム中のＣａｐａｂｉｌｉｔｙ  Ｉｎｆｏｒｍａｔｉｏｎ  Ｆｉｅｌｄは、無線ネットワークの接続開始のための認識情報の有無に関する情報（ＳＰＡＣ）を含む。また、フレームボディーは、電子装置１００のベンダー情報（ＶＩＤ）、製品情報（ＰＩＤ）、無欠性情報（ＭＩＣ）及び無線ネットワークへのジョインに用いられる識別情報（ＰＩＮ）に対するデータフレームをさらに含む。これらのベンダー情報（ＶＩＤ）、製品情報（ＰＩＤ）、無欠性情報（ＭＩＣ）及び無線ネットワークへのジョインに用いられる識別情報（ＰＩＮ）に対するデータは、既存ＷＰＳネットワークプロトコル下ではフレームボディーに含まれていないデータである。
【０１２９】
したがって、制御部１５０の制御によって第２信号生成部１４１で生成された接続要請信号は、通信部１１０を通じて中継装置２００に転送される。この接続要請信号を受信した中継装置２００は、接続要請信号に含まれている認識情報（認識情報有無に関する情報、電子装置のベンダー情報、製品情報、無欠性情報、及び無線ネットワークジョインに用いられる識別情報）を、電子装置１００の制御部１５０で中継信号を確認した過程と同一のまたは類似の過程により確認することができる。
【０１３０】
確認の結果、全ての情報が的確であると認定されると、中継装置２００は、接続要請信号に対応する接続応答信号を電子装置１００に転送する。
【０１３１】
図１４は、接続応答信号のデータフレーム構造を示す図である。同図に示すように、接続応答信号は、ＭＡＣヘッダに続くフレームボディー部分に、接続要請信号の状態を表すコードであるＳｔａｔｕｓ  ｃｏｄｅデータを含む。このＳｔａｔｕｓ  ｃｏｄｅは、当該接続要請信号が的確であるか否かを表す。
【０１３２】
中継装置２００から転送された接続応答信号を電子装置１００の通信部１１０を通じて受信すると、制御部１５０は、この接続応答信号に含まれているＳｔａｔｕｓ  ｃｏｄｅデータを確認し、確認の結果、接続要請信号が的確なものと判断されると、制御部１５０は、通信部１１０を制御して、中継装置にＥＡＰＯＬ−Ｓｔｒａｔ、ＥＡＰＯＬ−Ｒｅｑｕｅｓｔ／Ｒｅｓｐｏｎｓｅ（Ｍ１−Ｍ８）、ＥＡＰ＿Ｒｅｑｕｅｓｔ（Ｄｏｎｅ）、ＥＡＰ＿Ｒｅｓｐｏｎｓｅ（ＡＣＫ）までの過程を行い、結果として中継装置２００を介して無線ネットワークへとジョインする。
【０１３３】
以上では具体的な実施例及び図面に挙げて本発明を説明してきたが、本発明の属する技術分野における通常の知識を有する者にとっては、本発明の原則や精神を逸脱しない限度内で様々な変形実施が可能であるということは明らかである。したがって、発明の範囲は、添付の請求項及びその均等範囲で定められるべきである。
【符号の説明】
【０１３４】
１００    電子装置
１１０    通信部
１２０    符号化部
１３０    暗号化部
１４０    信号生成部
１４１    第２信号生成部
１５０    制御部
【図１】
2011103658.tif 000003
【図２Ａ】
2011103658.tif 000004
【図２Ｂ】
2011103658.tif 000005
【図３】
2011103658.tif 000006
【図４】
2011103658.tif 000007
【図５】
2011103658.tif 000008
【図６】
2011103658.tif 000009
【図７】
2011103658.tif 000010
【図８】
2011103658.tif 000011
【図９】
2011103658.tif 000012
【図１０】
2011103658.tif 000013
【図１１】
2011103658.tif 000014
【図１２】
2011103658.tif 000015
【図１３】
2011103658.tif 000016
【図１４】
2011103658.tif 000017